(57)【要約】【課題】開封済みか否かを簡単に見分けることが可能なキャップを提供する。【解決手段】容器の注出口に取り付けられるキャップは、キャップ本体１１を備える。連結部１３を介して、キャップ本体１１と接続されるリング１５を備える。キャップ本体１１と、リング１５の少なくとも一方は、空気通路１１ｂと、空気通路１１ｂに設けられ自身と接触する空気に含まれる特定の物質の濃度に応じて色が変化する検知剤１１ｃと、検知剤１１ｃの色の変化が外部から見える位置に配置された窓１１ｄを有し、キャップ本体１１とリング１５とが連結部１３を介して接続されている間は、空気通路１１ｂは、連結部１３によって封止され、キャップ本体１１とリング１５との連結部１３を介した接続状態が解除されると、空気通路１１ｂの封止状態が解除される。【選択図】図５
2010163180.tif 000002
【特許請求の範囲】
【請求項１】
キャップ本体と、
連結部を介して、前記キャップ本体と接続されるリングとを備え、
前記キャップ本体と、前記リングの少なくとも一方は、空気通路と、前記空気通路に設けられ自身と接触する空気に含まれる特定の物質の濃度に応じて色が変化する検知剤と、前記検知剤の色の変化が外部から見える位置に配置された窓を有し、
前記キャップ本体と前記リングとが前記連結部を介して接続されている間は、前記空気通路は、前記連結部によって封止され、前記キャップ本体と前記リングとの前記連結部を介した接続状態が解除されると、前記空気通路の封止状態が解除されることを特徴とする、容器の注出口に取り付けられるキャップ。
【請求項２】
前記窓の周囲は、前記接続状態が解除された後における、前記窓を介して見える前記検知剤の色に比べて、前記接続状態が解除される前における、前記窓を介して見える前記検知剤の色に近いことを特徴とする請求項１に記載のキャップ。
【請求項３】
前記窓は、開封済みであることを示す情報に関する形状を有することを特徴とする請求項２に記載のキャップ。
【請求項４】
前記検知剤は、酸素濃度に応じて色が変化する酸素検知剤であることを特徴とする請求項１に記載のキャップ。
【請求項５】
前記リングが前記注出口に取り付けられた状態で残され、前記キャップ本体が前記注出口から取り外されることにより、前記接続状態が解除されることを特徴とする請求項１に記載のキャップ。
【請求項６】
前記空気通路における前記特定の物質の濃度が低い状態で、前記連結部による前記空気通路の封止が行われることを特徴とする請求項１に記載のキャップ。
【発明の詳細な説明】
【技術分野】
【０００１】
本発明は、容器の注出口に取り付けられるキャップに関し、特に、不正開封防止機能を有するキャップに関する。
【背景技術】
【０００２】
特許文献１などで、不正開封防止機能を有するキャップが提案されている。かかるキャップは、開封時に、キャップ本体とリングとの連結部を介した接続状態が解除される。一度連結部を介した接続状態が解除されると、再度キャップ本体を注出口に取り付けても、キャップ本体とリングとの間に隙間が生じる。このため、よく見れば、キャップ本体が開封済みのものであるかどうかを知ることは出来る。
【先行技術文献】
【特許文献】
【０００３】
【特許文献１】特開２００８−２８５２０８号公報
【発明の概要】
【発明が解決しようとする課題】
【０００４】
しかしながら、その隙間は大きいものではなく、注意してみなければ開封済みであることを気づかないことも考えられる。
【０００５】
したがって本発明の目的は、開封済みか否かを簡単に見分けることが可能なキャップを提供することである。
【課題を解決するための手段】
【０００６】
本発明に係る容器の注出口に取り付けられるキャップは、キャップ本体と、連結部を介して、キャップ本体と接続されるリングとを備え、キャップ本体と、リングの少なくとも一方は、空気通路と、空気通路に設けられ自身と接触する空気に含まれる特定の物質の濃度に応じて色が変化する検知剤と、検知剤の色の変化が外部から見える位置に配置された窓を有し、キャップ本体とリングとが連結部を介して接続されている間は、空気通路は、連結部によって封止され、キャップ本体とリングとの連結部を介した接続状態が解除されると、空気通路の封止状態が解除される。
【０００７】
空気通路が連結部によって封止されると、空気通路の内部における空気の変化は無いため、検知剤の色に変化はない。連結部による封止が解除されて開放されると、空気通路に空気が流れ、検知剤の色が変化する。検知剤の色は、窓を介して視認することが可能であるため、検知剤の色の変化を見ることにより、キャップ本体とリングとの接続状態が解除されたことを簡単に確認することが可能になる。
【０００８】
好ましくは、窓の周囲は、接続状態が解除された後における、窓を介して見える検知剤の色に比べて、接続状態が解除される前における、窓を介して見える検知剤の色に近い。
【０００９】
これにより、検知剤の色が変化した時に、キャップ本体の色との差異を視認しやすくなる。
【００１０】
さらに好ましくは、窓は、開封済みであることを示す情報に関する形状を有する。
【００１１】
これにより、色だけでなく、文字の情報でも開封済みであることを視認することが可能になる。
【００１２】
また、好ましくは、検知剤は、酸素濃度に応じて色が変化する酸素検知剤である。
【００１３】
また、好ましくは、リングが注出口に取り付けられた状態で残され、キャップ本体が注出口から取り外されることにより、接続状態が解除される。
【００１４】
また、好ましくは、空気通路における特定の物質の濃度が低い状態で、連結部による空気通路の封止が行われる。
【００１５】
これにより、封止の解除前と解除後とで、空気通路における特定の物質の濃度の変化度合いが大きくなり、検知剤の色変化が視認しやすくなる。
【発明の効果】
【００１６】
以上のように本発明によれば、開封済みか否かを簡単に見分けることが可能なキャップを提供することができる。
【図面の簡単な説明】
【００１７】
【図１】第１状態におけるキャップと注出口の位置関係を示す斜視図である。
【図２】第１状態におけるキャップと注出口の位置関係を示す断面図である。
【図３】第２状態におけるキャップと注出口の位置関係を示す斜視図である。
【図４】第２状態におけるキャップと注出口の位置関係を示す断面図である。
【図５】第３状態におけるキャップと注出口の位置関係を示す斜視図である。
【図６】第３状態におけるキャップと注出口の位置関係を示す断面図である。
【発明を実施するための形態】
【００１８】
以下、本実施形態について、図を用いて説明する。本実施形態における不正開封防止機能付きのキャップ１０は、キャップ本体１１、キャップ本体１１の下部に設けられキャップ本体１１から切断可能な複数の連結部１３、連結部１３を介してキャップ本体１１と接続されているリング１５を有し、ペットボトルなどの飲料を収容する容器の注出口５０に取り付けられる。
【００１９】
キャップ本体１１は、注出口５０の口部の外周面にある外ネジ部５１に対応した内ネジ部１１ａ、キャップ本体１１の下部から上面にかけて内部に設けられた複数の空気通路１１ｂ、キャップ本体１１の上面で且つ空気通路１１ｂに設けられた酸素検知剤１１ｃ、及び酸素検知剤１１ｃの色の変化が外部から見えるようにキャップ本体１１の上部に設けられた窓（透過部材）１１ｄを有する。なお、図１、図３、図５では、キャップ本体１１の内部に設けられており、実際には外部からは見えない空気通路１１ｂ、及び酸素検知剤１１ｃを点線で示す。
【００２０】
リング１５は、リング内周側に係止手段として複数の係止フラップ１５ａを有する。係止フラップ１５ａはリング１５の下縁部からリング１５の中心に向けて張り出している。
【００２１】
注出口５０に取り付けられる前は、キャップ本体１１とリング１５とが、連結部１３を介して接続している（第１状態、図１、図２参照）。
【００２２】
キャップ本体１１とリング１５とが連結部１３を介して接続した状態で、口部回りのキャップ取り付け方向に回転させると、キャップ本体１１の内ネジ部１１ａが、注出口５０の外ネジ部５１に係合し、キャップ１０が注出口５０に取り付けられる（第２状態、図３、図４参照）。
【００２３】
取り付け後、キャップ本体１１を、口部回りのキャップ取り外し方向に回転させると、連結部１３を介して接続されたリング１５もキャップ本体１１と一緒に注出口５０から取り外される方向に回転するが、係止フラップ１５ａが、注出口５０から径方向に突出したリブ５３に係止し、係止後も、キャップ本体１１のキャップ取り外し方向の回転を続けると、連結部１３がキャップ本体１１から切断され、キャップ本体１１だけが注出口５０から取り外され、連結部１３とリング１５は注出口５０に取り付けられた状態で残される（第３状態、図５、図６参照）。
【００２４】
次に、空気通路１１ｂ、酸素検知剤１１ｃ、及び窓１１ｄの詳細について説明する。
【００２５】
空気通路１１ｂは、キャップ本体１１の下部からキャップ本体１１の内部に空気を取り入れる通路であり、キャップ本体１１とリング１５とが連結部１３を介して接続されている（第１状態、第２状態）間は、空気通路１１ｂは、連結部１３によって封止される。
【００２６】
キャップ１１の製造工程において、空気通路１１ｂを真空状態にする、あるいは空気通路１１ｂに窒素を充填するなど、空気通路１１ｂ内の酸素濃度が低い状態で、連結部１３による空気通路１１ｂの封止が行われるのが望ましい。この場合、封止の解除前と解除後とで、空気通路１１ｂにおける酸素濃度の変化度合いが大きくなり、酸素検知剤１１ｃの色変化が視認しやすくなる。
【００２７】
リング１５が注出口５０に取り付けられた状態で残され、キャップ本体１１が注出口５０から取り外されることにより、キャップ本体１１とリング１５との連結部１３を介した接続状態が解除されると（第３状態）、空気通路１１ｂの下部の封止状態が解除され、下部から空気通路１１ｂを通って空気が流れる状態になる。特に、製造工程において、空気通路１１ｂを真空状態にした状態で連結部１３による封止が行われると、封止状態の解除により、圧力差で、空気通路１１ｂに空気が流れやすくなる。
【００２８】
酸素検知剤１１ｃは、自身と接触する空気に含まれる酸素の濃度に応じて色が変化する。例えば、シクロデキストリン類、可逆変色性有機色素、及び還元剤を含む構成が挙げられる。第１状態、第２状態では、端部（下部）が連結部１３によって封止されているため、空気通路１１ｂの内部における空気の酸素濃度の変化は無い。第３状態では、端部（下部）の連結部１３による封止が解除されて開放されているため、空気通路１１ｂに空気が流れ、空気通路１１ｂの内部における空気の酸素濃度が変化し、酸素検知剤１１ｃの色が変化する。酸素検知剤１１ｃの色は、窓１１ｄを介して視認することが可能である。
【００２９】
図１、図３では、例として、色変化前の酸素検知剤１１ｃを白色で示し、図５では、色変化後の酸素検知剤１１ｃを灰色で示し、窓１１ｄから見える領域は更に斜線を付けた状態で示す。
【００３０】
キャップ本体１１とリング１５とは、一度連結部１３を介した接続が切れると、キャップ本体１１を注出口５０に取り付けても、キャップ本体１１とリング１５との間に隙間が生じる。このため、よく見れば、キャップ本体１１が開封済みのものであるかどうかを知ることは出来る。
【００３１】
しかしながら、その隙間は大きいものではなく、注意してみなければ開封済みであることを気づかないことも考えられる。これに対して、本実施形態では、キャップ本体１１の上面に設けられた窓１１ｄから見える酸素検知剤１１ｃの色状態（色の変化）を見れば、開封済みか否かを簡単に見分けることが可能になる。
【００３２】
なお、封止解除後との酸素濃度の差を大きくして酸素検知剤１１ｃの色の変化度合いを大きくするため、製造工程における連結部１３による封止は、空気通路１１ｂ内の酸素濃度が低い状態で行われるのが望ましい。
【００３３】
また、酸素検知剤１１ｃの色が変化した時に、キャップ本体１１の上面の色との差異を視認しやすくするために、キャップ本体１１における窓１１ｄの周囲は、キャップ本体１１とリング１５との連結部１３を介した接続状態が解除された後における、窓１１ｄを介して見える酸素検知剤１１ｃの色に比べて、キャップ本体１１とリング１５との連結部１３を介した接続状態が解除される前における、窓１１ｄを介して見える酸素検知剤１１ｃの色に近いことが望ましい。例えば、キャップ本体１１の上面（窓１１ｄの周囲）を、第１状態における酸素検知剤１１ｃとほぼ同じ色にする。
【００３４】
また、窓１１ｄは、図１〜図６に示すように、丸型形状など、キャップの開閉状態と関連しない形状であってもよいが、開封済みであることを示す文字（例えば“開”の文字）や記号の形状を有する形態であってもよい。この場合、色だけでなく、文字でも開封済みであることを視認することが可能になる。
【００３５】
また、酸素検知剤１１ｃや窓１１ｄをキャップ本体１１の上面に設ける形態を説明したが、キャップ本体１１の側面に設ける形態であってもよい。
【００３６】
また、空気通路１１ｂ、酸素検知剤１１ｃ、及び窓１１ｄを、リング１５に設ける形態であってもよい。この場合は、連結部１３は、リング１５から切断可能な状態にされ、キャップ本体１１とリング１５との連結部１３を介した接続状態が解除された時に、連結部１３とリング１５との接続が切れ、連結部１３による空気通路１１ｂの封止状態が解除される。
【００３７】
また、酸素濃度に応じて色が変化する酸素検知剤１１ｃに代えて、他の物質の濃度に応じて色が変化する検知剤を用いる形態であってもよい。この場合、連結部１３による空気通路１１ｂの封止の解除前と解除後とで検知剤で検知する物質の濃度が大きく変化するように、製造工程における空気通路１１ｂに充填する気体を考慮する（真空状態であってもよい）。
【符号の説明】
【００３８】
１０  キャップ
１１  キャップ本体
１１ａ  内ネジ部
１１ｂ  空気通路
１１ｃ  酸素検知剤
１１ｄ  窓
１３  連結部
１５  リング
１５ａ  係止フラップ
５０  注出口
５１  外ネジ部
【図１】
2010163180.tif 000003
【図２】
2010163180.tif 000004
【図３】
2010163180.tif 000005
【図４】
2010163180.tif 000006
【図５】
2010163180.tif 000007
【図６】
2010163180.tif 000008